(57)【要約】【課題】高いモビリティケース下での移動局装置に対して、より良いパフォーマンスゲインを得ることができる移動通信システム、基地局装置、移動局装置および通信方法を提供する。【解決手段】基地局装置が、下りリンク制御情報フォーマットを使用して物理上りリンク共用チャネルをスケジュールする移動通信システムであって、前記基地局装置は、前記下りリンク制御情報フォーマットに第１の値または第２の値を選択的にセットして送信し、前記移動局装置は、前記第１の値がセットされている場合には、４アンテナポートを用いて前記物理上りリンク共用チャネルを送信し、前記第２の値がセットされている場合には、２アンテナポートを用いて前記物理上りリンク共用チャネルを送信する。【選択図】図１０
2013034047.tif 000002
【特許請求の範囲】
【請求項１】
基地局装置が、下りリンク制御情報フォーマットを使用して物理上りリンク共用チャネルを移動局装置に対してスケジュールする移動通信システムであって、
前記基地局装置は、
前記下りリンク制御情報フォーマットに含まれる情報フィールドに第１の値または第２の値を選択的にセットして前記移動局装置へ送信し、
前記移動局装置は、
前記情報フィールドに前記第１の値がセットされている場合には、４アンテナポートを用いて前記物理上りリンク共用チャネルを前記基地局装置へ送信し、
前記情報フィールドに前記第２の値がセットされている場合には、２アンテナポートを用いて前記物理上りリンク共用チャネルを前記基地局装置へ送信し、
前記情報フィールドは、前記物理上りリンク共用チャネルに対する送信レイヤ数およびコードブックインデックスを示すために使用される
ことを特徴とする移動通信システム。
【請求項２】
前記移動局装置が、前記２アンテナポートを用いて前記物理上りリンク共用チャネルを送信する際の送信レイヤ数は２である
ことを特徴とする請求項１に記載の移動通信システム。
【請求項３】
前記移動局装置が、前記２アンテナポートを用いて前記物理上りリンク共用チャネルを送信する際のコードブックインデックスは１／√２［１、０；０、１］に対応する
ことを特徴とする請求項１または請求項２に記載の移動通信システム。
【請求項４】
下りリンク制御情報フォーマットを使用して物理上りリンク共用チャネルを移動局装置に対してスケジュールする基地局装置であって、
前記下りリンク制御情報フォーマットに含まれる情報フィールドに第１の値または第２の値を選択的にセットして前記移動局装置へ送信するユニットと、
前記情報フィールドに前記第１の値がセットされている場合には、前記移動局装置によって４アンテナポートを用いて送信される前記物理上りリンク共用チャネルを受信するユニットと、
前記情報フィールドに前記第２の値がセットされている場合には、前記移動局装置によって２アンテナポートを用いて送信される前記物理上りリンク共用チャネルを受信するユニットと、を備え、
前記情報フィールドは、前記物理上りリンク共用チャネルに対する送信レイヤ数およびコードブックインデックスを示すために使用される
ことを特徴とする基地局装置。
【請求項５】
前記移動局装置が、前記２アンテナポートを用いて前記物理上りリンク共用チャネルを送信する際の送信レイヤ数は２である
ことを特徴とする請求項４に記載の基地局装置。
【請求項６】
前記移動局装置が、前記２アンテナポートを用いて前記物理上りリンク共用チャネルを送信する際のコードブックインデックスは１／√２［１、０；０、１］に対応する
ことを特徴とする請求項４または請求項５に記載の基地局装置。
【請求項７】
下りリンク制御情報フォーマットを使用して物理上りリンク共用チャネルを基地局装置によってスケジュールされる移動局装置であって、
前記基地局装置によって第１の値または第２の値が選択的にセットされた情報フィールドが含まれる前記下りリンク制御情報フォーマットを前記基地局装置から受信するユニットと、
前記情報フィールドに前記第１の値がセットされている場合には、４アンテナポートを用いて前記物理上りリンク共用チャネルを前記基地局装置へ送信するユニットと、
前記情報フィールドに前記第２の値がセットされている場合には、２アンテナポートを用いて前記物理上りリンク共用チャネルを前記基地局装置へ送信するユニットと、を備え、
前記情報フィールドは、前記物理上りリンク共用チャネルに対する送信レイヤ数およびコードブックインデックスを示すために使用される
ことを特徴とする移動局装置。
【請求項８】
前記２アンテナポートを用いて前記物理上りリンク共用チャネルを送信する際の送信レイヤ数は２である
ことを特徴とする請求項７に記載の移動局装置。
【請求項９】
前記２アンテナポートを用いて前記物理上りリンク共用チャネルを送信する際のコードブックインデックスは１／√２［１、０；０、１］に対応する
ことを特徴とする請求項７または請求項８に記載の移動局装置。
【請求項１０】
下りリンク制御情報フォーマットを使用して物理上りリンク共用チャネルを移動局装置に対してスケジュールする基地局装置の通信方法であって、
前記下りリンク制御情報フォーマットに含まれる情報フィールドに第１の値または第２の値を選択的にセットして前記移動局装置へ送信し、
前記情報フィールドに前記第１の値がセットされている場合には、前記移動局装置によって４アンテナポートを用いて送信される前記物理上りリンク共用チャネルを受信し、
前記情報フィールドに前記第２の値がセットされている場合には、前記移動局装置によって２アンテナポートを用いて送信される前記物理上りリンク共用チャネルを受信し、
前記情報フィールドは、前記物理上りリンク共用チャネルに対する送信レイヤ数およびコードブックインデックスを示すために使用される
ことを特徴とする通信方法。
【請求項１１】
前記移動局装置が、前記２アンテナポートを用いて前記物理上りリンク共用チャネルを送信する際の送信レイヤ数は２である
ことを特徴とする請求項１０に記載の通信方法。
【請求項１２】
前記移動局装置が、前記２アンテナポートを用いて前記物理上りリンク共用チャネルを送信する際のコードブックインデックスは１／√２［１、０；０、１］に対応する
ことを特徴とする請求項１０または請求項１１に記載の通信方法。
【請求項１３】
下りリンク制御情報フォーマットを使用して物理上りリンク共用チャネルを基地局装置によってスケジュールされる移動局装置の通信方法であって、
前記基地局装置によって第１の値または第２の値が選択的にセットされた情報フィールドが含まれる前記下りリンク制御情報フォーマットを前記基地局装置から受信し、
前記情報フィールドに前記第１の値がセットされている場合には、４アンテナポートを用いて前記物理上りリンク共用チャネルを前記基地局装置へ送信し、
前記情報フィールドに前記第２の値がセットされている場合には、２アンテナポートを用いて前記物理上りリンク共用チャネルを前記基地局装置へ送信し、
前記情報フィールドは、前記物理上りリンク共用チャネルに対する送信レイヤ数およびコードブックインデックスを示すために使用される
ことを特徴とする通信方法。
【請求項１４】
前記２アンテナポートを用いて前記物理上りリンク共用チャネルを送信する際の送信レイヤ数は２である
ことを特徴とする請求項１３に記載の通信方法。
【請求項１５】
前記２アンテナポートを用いて前記物理上りリンク共用チャネルを送信する際のコードブックインデックスは１／√２［１、０；０、１］に対応する
ことを特徴とする請求項１３または請求項１４に記載の通信方法。
【発明の詳細な説明】
【技術分野】
【０００１】
本発明は、移動通信システム、基地局装置、移動局装置および通信方法に関する。
【背景技術】
【０００２】
セルラー移動通信の無線アクセス方式および無線ネットワークの進化（以下、ＬＴＥ：Long Term Evolution、または、ＥＵＴＲＡ：Evolved Universal Terrestrial Radio Accessとも呼称する）が、第三世代パートナーシッププロジェクト（３ＧＰＰ：3rd Generation Partnership Project）において検討されている。ＬＴＥでは、基地局装置から移動局装置への下りリンクの通信方式として、ＯＦＤＭ（Orthogonal Frequency Division Multiplexing）方式が用いられる。また、移動局装置から基地局装置への上りリンクの通信方式として、ＰＡＰＲ（Peak to Average Power Ratio）特性に優れたＳＣ−ＦＤＭＡ（Single-Carrier Frequency Division Multiple Access）方式が用いられる。ここで、ＬＴＥでは、基地局装置をｅＮｏｄｅＢ（evolved NodeB）、移動局装置をＵＥ（User Equipment）とも呼称する。
【０００３】
また、ＬＴＥリリース１１では、上りリンクにおいて、ＭＩＭＯ（Multiple Input Multiple Output）による空間多重（ＳＭ：Spatial Multiplexing、ＭＩＭＯ ＳＭとも呼称される）を利用することが検討されている。ここで、ＭＩＭＯ ＳＭとは、複数の送信／受信アンテナポートによって実現され、複数の信号系列（レイヤ（layer）、ストリーム（stream）とも呼称される）が空間多重されて送受信が行なわれる技術である。また、空間多重される信号系列の数（レイヤ数、ストリーム数、空間多重系列数とも呼称される）は、ランク（rank）とも呼称される。
【０００４】
また、アンテナポートとは信号処理に用いられる論理的なアンテナポートのことを示している。すなわち、１つのアンテナポートは１つの物理的なアンテナに対応しても良いし、複数の物理的なアンテナに対応しても良い。すなわち、アンテナポートの数は、物理的なアンテナの数と同じ、または、少ない数として定義される。すなわち、アンテナポートとは、物理アンテナ毎、または２つ以上の物理アンテナの合成によって定義される。
【０００５】
さらに、ＭＩＭＯ ＳＭを利用して通信を行う場合の送信側（例えば、移動局装置側）では、複数の信号系列に対して適切な空間チャネルを形成するためにプリコーディング（プリコーディング行列）を施し、プリコーディングを施した複数の信号系列を複数のアンテナポートを用いて（複数のアンテナポートにマッピングして）送信する。すなわち、複数のアンテナポートを使用して送信される複数の信号系列の情報を正しく分離するために、予め信号系列に対してプリコーディングを施し、プリコーディングを施した複数の信号を複数のアンテナポートを用いて送信する。
【０００６】
ここで、上りリンクにおけるＭＩＭＯ ＳＭを利用した送信に関して、高いモビリティケース下での移動局装置に対して、より良いパフォーマンスゲインを得るために、チャネル（伝搬路とも呼称される）に依存しないＭＩＭＯ方式（a channel independent MIMO scheme）が提案されている（非特許文献１）。
【先行技術文献】
【非特許文献】
【０００７】
【非特許文献１】"UL MIMO Proposed Enhancements in Rel-11", 3GPP TSG RAN WG1 Meeting #65, R1-111478, May 9-13, 2011.
【発明の概要】
【発明が解決しようとする課題】
【０００８】
しかしながら、従来の技術では、基地局装置が、複数のアンテナポートでの送信に関する情報を、どのように移動局装置へ指示するかの具体的な記載がなかった。
【０００９】
ここで、例えば、複数のアンテナポートでの送信に関する情報とは、移動局装置が、複数のアンテナポートでの送信を行う際に使用される送信ランク数が含まれる。また、例えば、複数のアンテナポートでの送信に関する情報とは、移動局装置が、複数のアンテナポートでの送信を行う際に使用されるコードブックインデックス（プレコーディング行列）が含まれる。また、例えば、複数のアンテナポートでの送信に関する情報とは、移動局装置が、複数のアンテナポートでの送信を行う際に使用されるアンテナポート数が含まれる。
【００１０】
ここで、高いモビリティケース下での移動局装置に対して、より良いパフォーマンスゲインを得るためには、基地局装置が、複数のアンテナポートでの送信に関する情報を、動的に（ダイナミックに、例えば、１ｍｓ毎に）指示できる（切り換える）ことが望ましい。
【００１１】
本発明は、このような事情に鑑みてなされたものであり、高いモビリティケース下での移動局装置に対して、より良いパフォーマンスゲインを得ることができる移動通信システム、基地局装置、移動局装置および通信方法を提供する。
【課題を解決するための手段】
【００１２】
（１）上記の目的を達成するために、本発明は、以下のような手段を講じた。すなわち、本発明の移動通信システムは、基地局装置が、下りリンク制御情報フォーマットを使用して物理上りリンク共用チャネルを移動局装置に対してスケジュールする移動通信システムであって、前記基地局装置は、前記下りリンク制御情報フォーマットに含まれる情報フィールドに第１の値または第２の値を選択的にセットして前記移動局装置へ送信し、前記移動局装置は、前記情報フィールドに前記第１の値がセットされている場合には、４アンテナポートを用いて前記物理上りリンク共用チャネルを前記基地局装置へ送信し、前記情報フィールドに前記第２の値がセットされている場合には、２アンテナポートを用いて前記物理上りリンク共用チャネルを前記基地局装置へ送信し、前記情報フィールドは、前記物理上りリンク共用チャネルに対する送信レイヤ数およびコードブックインデックスを示すために使用されることを特徴としている。
【００１３】
（２）また、前記移動局装置が、前記２アンテナポートを用いて前記物理上りリンク共用チャネルを送信する際の送信レイヤ数は２であることを特徴としている。
【００１４】
（３）また、前記移動局装置が、前記２アンテナポートを用いて前記物理上りリンク共用チャネルを送信する際のコードブックインデックスは１／√２［１、０；０、１］に対応することを特徴としている。
【００１５】
（４）また、下りリンク制御情報フォーマットを使用して物理上りリンク共用チャネルを移動局装置に対してスケジュールする基地局装置であって、前記下りリンク制御情報フォーマットに含まれる情報フィールドに第１の値または第２の値を選択的にセットして前記移動局装置へ送信するユニットと、前記情報フィールドに前記第１の値がセットされている場合には、前記移動局装置によって４アンテナポートを用いて送信される前記物理上りリンク共用チャネルを受信するユニットと、前記情報フィールドに前記第２の値がセットされている場合には、前記移動局装置によって２アンテナポートを用いて送信される前記物理上りリンク共用チャネルを受信するユニットと、を備え、前記情報フィールドは、前記物理上りリンク共用チャネルに対する送信レイヤ数およびコードブックインデックスを示すために使用されることを特徴としている。
【００１６】
（５）また、前記移動局装置が、前記２アンテナポートを用いて前記物理上りリンク共用チャネルを送信する際の送信レイヤ数は２であることを特徴としている。
【００１７】
（６）また、前記移動局装置が、前記２アンテナポートを用いて前記物理上りリンク共用チャネルを送信する際のコードブックインデックスは１／√２［１、０；０、１］に対応することを特徴としている。
【００１８】
（７）また、下りリンク制御情報フォーマットを使用して物理上りリンク共用チャネルを基地局装置によってスケジュールされる移動局装置であって、前記基地局装置によって第１の値または第２の値が選択的にセットされた情報フィールドが含まれる前記下りリンク制御情報フォーマットを前記基地局装置から受信するユニットと、前記情報フィールドに前記第１の値がセットされている場合には、４アンテナポートを用いて前記物理上りリンク共用チャネルを前記基地局装置へ送信するユニットと、前記情報フィールドに前記第２の値がセットされている場合には、２アンテナポートを用いて前記物理上りリンク共用チャネルを前記基地局装置へ送信するユニットと、を備え、前記情報フィールドは、前記物理上りリンク共用チャネルに対する送信レイヤ数およびコードブックインデックスを示すために使用されることを特徴としている。
【００１９】
（８）また、前記２アンテナポートを用いて前記物理上りリンク共用チャネルを送信する際の送信レイヤ数は２であることを特徴としている。
【００２０】
（９）また、前記２アンテナポートを用いて前記物理上りリンク共用チャネルを送信する際のコードブックインデックスは１／√２［１、０；０、１］に対応することを特徴としている。
【００２１】
（１０）また、下りリンク制御情報フォーマットを使用して物理上りリンク共用チャネルを移動局装置に対してスケジュールする基地局装置の通信方法であって、前記下りリンク制御情報フォーマットに含まれる情報フィールドに第１の値または第２の値を選択的にセットして前記移動局装置へ送信し、前記情報フィールドに前記第１の値がセットされている場合には、前記移動局装置によって４アンテナポートを用いて送信される前記物理上りリンク共用チャネルを受信し、前記情報フィールドに前記第２の値がセットされている場合には、前記移動局装置によって２アンテナポートを用いて送信される前記物理上りリンク共用チャネルを受信し、前記情報フィールドは、前記物理上りリンク共用チャネルに対する送信レイヤ数およびコードブックインデックスを示すために使用されることを特徴としている。
【００２２】
（１１）また、前記移動局装置が、前記２アンテナポートを用いて前記物理上りリンク共用チャネルを送信する際の送信レイヤ数は２であることを特徴としている。
【００２３】
（１２）また、前記移動局装置が、前記２アンテナポートを用いて前記物理上りリンク共用チャネルを送信する際のコードブックインデックスは１／√２［１、０；０、１］に対応することを特徴としている。
【００２４】
（１３）また、下りリンク制御情報フォーマットを使用して物理上りリンク共用チャネルを基地局装置によってスケジュールされる移動局装置の通信方法であって、前記基地局装置によって第１の値または第２の値が選択的にセットされた情報フィールドが含まれる前記下りリンク制御情報フォーマットを前記基地局装置から受信し、前記情報フィールドに前記第１の値がセットされている場合には、４アンテナポートを用いて前記物理上りリンク共用チャネルを前記基地局装置へ送信し、前記情報フィールドに前記第２の値がセットされている場合には、２アンテナポートを用いて前記物理上りリンク共用チャネルを前記基地局装置へ送信し、前記情報フィールドは、前記物理上りリンク共用チャネルに対する送信レイヤ数およびコードブックインデックスを示すために使用されることを特徴としている。
【００２５】
（１４）また、前記２アンテナポートを用いて前記物理上りリンク共用チャネルを送信する際の送信レイヤ数は２であることを特徴としている。
【００２６】
（１５）また、前記２アンテナポートを用いて前記物理上りリンク共用チャネルを送信する際のコードブックインデックスは１／√２［１、０；０、１］に対応することを特徴としている。
【発明の効果】
【００２７】
高いモビリティケース下での移動局装置に対して、より良いパフォーマンスゲインを得ることができる移動通信システム、基地局装置、移動局装置および通信方法を提供する。
【図面の簡単な説明】
【００２８】
【図１】本発明の実施形態に係る物理チャネルの構成を概念的に示す図である。
【図２】本発明の実施形態に係る基地局装置の概略構成を示すブロック図である。
【図３】本発明の実施形態に係る移動局装置の概略構成を示すブロック図である。
【図４】上りリンク送信モードの例を示す図である。
【図５】２アンテナポートでの送信に対するコードブックの例を示す図である。
【図６】送信レイヤ数が“１”における４アンテナポートでの送信に対するコードブックの例を示す図である。
【図７】送信レイヤ数が“２”における４アンテナポートでの送信に対するコードブックの例を示す図である。
【図８】送信レイヤ数が“３”における４アンテナポートでの送信に対するコードブックの例を示す図である。
【図９】送信レイヤ数が“４”における４アンテナポートでの送信に対するコードブックの例を示す図である。
【図１０】プレコーディング情報フィールドの内容の例を示す図である。
【発明を実施するための形態】
【００２９】
次に、本発明に係る実施形態について、図面を参照しながら説明する。図１は、本発明の実施形態における物理チャネルの一構成例を示す図である。ここで、物理チャネルは、時間領域、周波数領域によって定義される（構成される）。
【００３０】
図１に示すように、下りリンクの物理チャネルには、物理下りリンク制御チャネル（ＰＤＣＣＨ：Physical Downlink Control Channel）、物理下りリンク共用チャネル（ＰＤＳＣＨ：Physical Downlink Shared Channel）などが含まれる。また、上りリンクの物理チャネルには、物理上りリンク共用チャネル（ＰＵＳＣＨ：Physical Uplink Shared Channel）、物理上りリンク制御チャネル（ＰＵＣＣＨ：Physical Uplink Control Channel）などが含まれる。
【００３１】
ここで、ＰＤＣＣＨは、下りリンクのスケジューリング情報（下りリンクアサインメント：downlink assignmentとも呼称される）や上りリンクのスケジューリング情報（上りリンクグラント：uplink grantとも呼称される）などの下りリンク制御情報（ＤＣＩ：Downlink Control Information）を送信（通知、指定）するために使用される物理チャネルである。また、下りリンク制御情報の送信に対して、複数のフォーマットが定義される。ここで、下りリンク制御情報のフォーマットは、ＤＣＩフォーマット（Downlink Control Information format）とも呼称される。
【００３２】
例えば、ＤＣＩフォーマット１は、１つの下りリンクセルにおけるＰＤＳＣＨ（１つのＰＤＳＣＨコードワード（ＣＷ：Codeword）でも良い）のスケジューリングに使用される。また、ＤＣＩフォーマット２は、マルチアンテナポートモードでの１つの下りリンクセルにおけるＰＤＳＣＨのスケジューリングに使用される。すなわち、ＤＣＩフォーマット１およびＤＣＩフォーマット２は、ＰＤＳＣＨのスケジューリングに使用される下りリンクアサインメントである。
【００３３】
すなわち、例えば、ＤＣＩフォーマット１やＤＣＩフォーマット２には、ＰＤＳＣＨに対するリソース割り当て情報（Resource block assignment）、ＰＤＳＣＨ（ＰＤＳＣＨで送信される下りリンクトランスポートブロック）に対する変調方式および符号化率に関する情報（ＭＣＳ：Modulation and Coding Scheme）などの情報フィールド（情報ビットへマップされるフィールド、ビットフィールドとも呼称される）が定義される。
【００３４】
また、例えば、ＤＣＩフォーマット０は、（シングルアンテナポート送信モードでの）１つの上りリンクセルにおけるＰＵＳＣＨのスケジューリングに使用される。また、ＤＣＩフォーマット４は、マルチアンテナポートモードでの１つの上りリンクセルにおけるＰＵＳＣＨのスケジューリングに使用される。すなわち、ＤＣＩフォーマット０およびＤＣＩフォーマット４は、ＰＵＳＣＨのスケジューリングに使用される上りリンクグラントである。
【００３５】
すなわち、例えば、ＤＣＩフォーマット０には、ＰＵＳＣＨに対するリソース割り当て情報（Resource block assignment）、ＰＵＳＣＨ（ＰＵＳＣＨで送信される上りリンクトランスポートブロック）に対する変調方式および符号化率に関する情報（ＭＣＳ：Modulation and Coding Scheme）などの情報フィールドが定義される。
【００３６】
また、例えば、ＤＣＩフォーマット４には、ＰＵＳＣＨに対するリソース割り当て情報（Resource block assignment）、ＰＵＳＣＨで送信される上りリンクトランスポートブロック１に対する変調方式および符号化率に関する情報（ＭＣＳ：Modulation and Coding Scheme）、ＰＵＳＣＨで送信される上りリンクトランスポートブロック２に対する変調方式および符号化率に関する情報（ＭＣＳ：Modulation and Coding Scheme）などの情報フィールドが定義される。
【００３７】
また、例えば、ＤＣＩフォーマット４には、プレコーディング情報とレイヤ数（送信レイヤ数）を示す情報（Precoding information and number of layers）の情報フィールドが定義される。以下、プレコーディング情報とレイヤ数を示す情報を、単に、プレコーディング情報とも記載する。また、プレコーディング情報とレイヤ数を示す情報として定義された情報フィールドを、プレコーディング情報フィールドとも記載する。すなわち、プレコーディング情報フィールドにセットされる値（情報ビットでも良い）に従って、コードブックインデックス（プレコーディング行列）が指示される。また、プレコーディング情報にセットされる値（情報ビットでも良い）に従って、送信レイヤ数が指示される。
【００３８】
ここで、例えば、プレコーディング情報（プレコーディング情報フィールド）は、移動局装置でのアンテナポート数が２の場合には、３ビットの情報ビットによって表される。また、例えば、プレコーディング情報（プレコーディング情報フィールド）は、移動局装置でのアンテナポート数が４の場合には、６ビットの情報ビットによって表される。
【００３９】
また、ＰＤＳＣＨは、下りリンクデータ（下りリンク共用チャネル（ＤＬ−ＳＣＨ：Downlink Shared Channel）に対するトランスポートブロック）またはページング情報（ページングチャネル、（ＰＣＨ：Paging Channel）に対するトランスポートブロック）を送信するために使用されるチャネルである。基地局装置は、ＰＤＣＣＨによって割り当てたＰＤＳＣＨを使用して、下りリンクデータを移動局装置へ送信する。
【００４０】
ここで、下りリンクデータとは、例えば、ユーザーデータを示しており、ＤＬ−ＳＣＨは、トランスポートチャネルである。ここで、下りリンクトランスポートブロックは、ＭＡＣ（Medium Access Control）層で取り扱われる単位である。また、下りリンクトランスポートブロックは、物理層（Physical layer）において、コードワードに対応付けられる。すなわち、下りリンクトランスポートブロックは、ＭＡＣ層から物理層へ供給される（deliverされる）データの単位である。
【００４１】
さらに、ＰＵＳＣＨは、上りリンクデータ（上りリンク共用チャネル（ＵＬ−ＳＣＨ：Uplink Shared Channel）に対するトランスポートブロック）を送信するために使用される物理チャネルである。移動局装置は、基地局装置から送信されたＰＤＣＣＨによって割り当てられたＰＵＳＣＨを使用して、上りリンクデータを基地局装置へ送信する。
【００４２】
ここで、上りリンクデータとは、例えば、ユーザーデータを示しており、ＵＬ−ＳＣＨは、トランスポートチャネルである。ここで、上りリンクトランスポートブロックは、ＭＡＣ層で取り扱われる単位である。また、上りリンクトランスポートブロックは、物理層において、コードワードに対応付けられる。すなわち、上りリンクトランスポートブロックは、ＭＡＣ層から物理層へ供給されるデータの単位である。
【００４３】
さらに、基地局装置と移動局装置は、上位層（Higher layer）において信号をやり取り（送受信）する。例えば、基地局装置と移動局装置は、無線リソース制御（ＲＲＣ：Radio Resource Control）層において、無線リソース制御信号（以下、ＲＲＣシグナリング：Radio Resource Control Signalingとも記載する）を送受信する。
【００４４】
ここで、ＲＲＣ層において、基地局装置によって、ある移動局装置に対して送信される専用の信号（ある移動局装置に対する専用の信号）は、dedicated signalingとも呼称される。また、基地局装置と移動局装置は、ＭＡＣ（Medium Access Control）層において、ＭＡＣコントロールエレメントを送受信する。ここで、ＲＲＣシグナリングおよび／またはＭＡＣコントロールエレメントは、上位層の信号（Higher layer signaling）とも呼称される。
【００４５】
また、ＰＵＣＣＨは、上りリンク制御情報（ＵＣＩ：Uplink Control Information）を送信するために使用される物理チャネルである。ここで、上りリンク制御情報には、下りリンクのチャネル状態情報（ＣＳＩ：Channel State Information）が含まれる。また、上りリンク制御情報には、下りリンクデータに対するＡＣＫ／ＮＡＣＫ（肯定応答：Positive Acknowledgement／否定応答：Negative Acknowledgement）を示す情報が含まれる。
【００４６】
［基地局装置の構成］
図２は、本発明の実施形態に係る基地局装置１００の概略構成を示すブロック図である。基地局装置１００は、データ制御部１０１と、送信データ変調部１０２と、無線部１０３と、スケジューリング部１０４と、チャネル推定部１０５と、受信データ復調部１０６と、データ抽出部１０７と、上位層１０８と、アンテナ１０９と、を含んで構成される。また、無線部１０３、スケジューリング部１０４、チャネル推定部１０５、受信データ復調部１０６、データ抽出部１０７、上位層１０８およびアンテナ１０９で受信部を構成し、データ制御部１０１、送信データ変調部１０２、無線部１０３、スケジューリング部１０４、上位層１０８およびアンテナ１０９で送信部を構成している。ここで、基地局装置１００を構成する各部を、ユニットとも呼称する。
【００４７】
アンテナ１０９、無線部１０３、チャネル推定部１０５、受信データ復調部１０６、データ抽出部１０７で上りリンクの物理層の処理を行なう。アンテナ１０９、無線部１０３、送信データ変調部１０２、データ制御部１０１で下りリンクの物理層の処理を行なう。
【００４８】
データ制御部１０１は、スケジューリング部１０４からトランスポートチャネルを受信する。データ制御部１０１は、トランスポートチャネルと、物理層で生成される信号およびチャネルを、スケジューリング部１０４から入力されるスケジューリング情報に基づいて、物理チャネルにマッピングする。以上のようにマッピングされた各データは、送信データ変調部１０２へ出力される。
【００４９】
送信データ変調部１０２は、送信データをＯＦＤＭ方式に変調する。送信データ変調部１０２は、データ制御部１０１から入力されたデータに対して、スケジューリング部１０４からのスケジューリング情報や、各物理リソースブロック（ＰＲＢ：Physical Resource Block）に対応する変調方式および符号化方式に基づいて、コーディング、入力信号の直列／並列変換、ＩＦＦＴ（逆高速フーリエ変換：Inverse Fast Fourier Transform）処理、ＣＰ（Cyclic Prefix）挿入、並びに、フィルタリングなどの信号処理を行ない、送信データを生成して、無線部１０３へ出力する。
【００５０】
ここで、スケジューリング情報には、ＰＲＢ割り当て情報、例えば、周波数、時間によって構成されるＰＲＢの位置情報が含まれ、各ＰＲＢに対応する変調方式および符号化方式には、例えば、変調方式：１６ＱＡＭ、符号化率：２／３コーディングレートなどの情報が含まれる。
【００５１】
無線部１０３は、送信データ変調部１０２から入力された変調データを無線周波数にアップコンバートして無線信号を生成し、アンテナ１０９を介して、移動局装置２００に送信する。また、無線部１０３は、移動局装置２００からの上りリンクの無線信号を、アンテナ１０９を介して受信し、ベースバンド信号にダウンコンバートして、受信データをチャネル推定部１０５と受信データ復調部１０６とに出力する。
【００５２】
スケジューリング部１０４は、ＭＡＣ層の処理を行なう。スケジューリング部１０４は、論理チャネルとトランスポートチャネルのマッピング、下りリンクおよび上りリンクのスケジューリング（ＨＡＲＱ処理、トランスポートフォーマットの選択など）などを行なう。スケジューリング部１０４は、各物理層の処理部を統合して制御するため、スケジューリング部１０４と、アンテナ１０９、無線部１０３、チャネル推定部１０５、受信データ復調部１０６、データ制御部１０１、送信データ変調部１０２およびデータ抽出部１０７との間のインターフェースが存在する。
【００５３】
スケジューリング部１０４は、下りリンクのスケジューリングでは、移動局装置２００から受信した上りリンク制御情報や、各移動局装置２００において使用可能なＰＲＢの情報や、バッファ状況や、上位層１０８から入力されたスケジューリング情報などに基づいて、各データを変調するための下りリンクのトランスポートフォーマット（送信形態、すなわち、ＰＲＢの割り当てや変調方式や符号化方式）の選定処理およびＨＡＲＱにおける再送制御および下りリンクに使用されるスケジューリング情報の生成を行なう。これら下りリンクのスケジューリングに使用されるスケジューリング情報は、データ制御部１０１へ出力される。
【００５４】
また、スケジューリング部１０４は、上りリンクのスケジューリングでは、チャネル推定部１０５が出力する上りリンクのチャネル状態（無線伝搬路状態）の推定結果、移動局装置２００からのリソース割り当て要求、各移動局装置２００において使用可能なＰＲＢの情報、上位層１０８から入力されたスケジューリング情報などに基づいて、各データを変調するための上りリンクのトランスポートフォーマット（送信形態、すなわち、ＰＲＢの割り当てや変調方式や符号化方式など）の選定処理および上りリンクのスケジューリングに使用されるスケジューリング情報の生成を行なう。これら上りリンクのスケジューリングに使用されるスケジューリング情報は、データ制御部１０１へ出力される。
【００５５】
また、スケジューリング部１０４は、上位層１０８から入力された下りリンクの論理チャネルをトランスポートチャネルにマッピングし、データ制御部１０１へ出力する。また、スケジューリング部１０４は、データ抽出部１０７から入力された上りリンクで取得した制御データとトランスポートチャンネルを、必要に応じて処理した後、上りリンクの論理チャネルにマッピングし、上位層１０８へ出力する。
【００５６】
チャネル推定部１０５は、上りリンクデータの復調のために、上りリンク復調用参照信号（ＵＤＲＳ：Uplink Demodulation Reference Signal）から上りリンクのチャネル状態を推定し、その推定結果を受信データ復調部１０６に出力する。また、上りリンクのスケジューリングを行なうために、上りリンク測定用参照信号（ＳＲＳ：Sounding Reference Signal）から上りリンクのチャネル状態を推定し、その推定結果をスケジューリング部１０４に出力する。
【００５７】
受信データ復調部１０６は、ＯＦＤＭ方式および／またはＳＣ−ＦＤＭＡ方式に変調された受信データを復調するＯＦＤＭ復調部および／またはＤＦＴ−Ｓｐｒｅａｄ−ＯＦＤＭ（ＤＦＴ−Ｓ−ＯＦＤＭ）復調部を兼ねている。受信データ復調部１０６は、チャネル推定部１０５から入力された上りリンクのチャネル状態推定結果に基づいて、無線部１０３から入力された変調データに対し、ＤＦＴ変換、サブキャリアマッピング、ＩＦＦＴ変換、フィルタリング等の信号処理を行なって、復調処理を施し、データ抽出部１０７に出力する。
【００５８】
データ抽出部１０７は、受信データ復調部１０６から入力されたデータに対して、正誤を確認するとともに、確認結果（ＡＣＫまたはＮＡＣＫ）をスケジューリング部１０４に出力する。また、データ抽出部１０７は、受信データ復調部１０６から入力されたデータからトランスポートチャネルと物理層の制御データとに分離して、スケジューリング部１０４に出力する。分離された制御データには、移動局装置２００から送信されたＣＳＩやＨＡＲＱにおける制御情報やスケジューリングリクエストなどが含まれている。
【００５９】
上位層１０８は、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行なう。上位層１０８は、下位層の処理部を統合して制御するため、上位層１０８と、スケジューリング部１０４、アンテナ１０９、無線部１０３、チャネル推定部１０５、受信データ復調部１０６、データ制御部１０１、送信データ変調部１０２およびデータ抽出部１０７との間のインターフェースが存在する。
【００６０】
上位層１０８は、無線リソース制御部１１０（制御部とも呼称される）を有している。また、無線リソース制御部１１０は、各種設定情報の管理、システム情報の管理、ページング制御、各移動局装置２００の通信状態の管理、ハンドオーバーなどの移動管理、移動局装置２００ごとのバッファ状況の管理、ユニキャストおよびマルチキャストベアラの接続設定の管理、移動局識別子（ＵＥＩＤ）の管理などを行なっている。上位層１０８は、別の基地局装置１００への情報および上位ノードへの情報の授受を行なう。
【００６１】
［移動局装置の構成］
図３は、本発明の実施形態に係る移動局装置２００の概略構成を示すブロック図である。移動局装置２００は、データ制御部２０１と、送信データ変調部２０２と、無線部２０３と、スケジューリング部２０４と、チャネル推定部２０５と、受信データ復調部２０６と、データ抽出部２０７と、上位層２０８、アンテナ２０９と、を含んで構成されている。また、データ制御部２０１、送信データ変調部２０２、無線部２０３、スケジューリング部２０４、上位層２０８、アンテナ２０９で送信部を構成し、無線部２０３、スケジューリング部２０４、チャネル推定部２０５、受信データ復調部２０６、データ抽出部２０７、上位層２０８、アンテナ２０９で受信部を構成している。ここで、移動局装置２００を構成する各部を、ユニットとも呼称する。
【００６２】
データ制御部２０１、送信データ変調部２０２、無線部２０３、で上りリンクの物理層の処理を行なう。無線部２０３、チャネル推定部２０５、受信データ復調部２０６、データ抽出部２０７、で下りリンクの物理層の処理を行なう。
【００６３】
データ制御部２０１は、スケジューリング部２０４からトランスポートチャネルを受信する。トランスポートチャネルと、物理層で生成される信号およびチャネルを、スケジューリング部２０４から入力されるスケジューリング情報に基づいて、物理チャネルにマッピングする。このようにマッピングされた各データは、送信データ変調部２０２へ出力される。
【００６４】
送信データ変調部２０２は、送信データをＯＦＤＭ方式および／またはＳＣ−ＦＤＭＡ方式に変調する。送信データ変調部２０２は、データ制御部２０１から入力されたデータに対し、データ変調、ＤＦＴ（離散フーリエ変換）処理、サブキャリアマッピング、ＩＦＦＴ（逆高速フーリエ変換）処理、ＣＰ挿入、フィルタリングなどの信号処理を行ない、送信データを生成して、無線部２０３へ出力する。
【００６５】
無線部２０３は、送信データ変調部２０２から入力された変調データを無線周波数にアップコンバートして無線信号を生成し、アンテナ２０９を介して、基地局装置１００に送信する。また、無線部２０３は、基地局装置１００からの下りリンクのデータで変調された無線信号を、アンテナ２０９を介して受信し、ベースバンド信号にダウンコンバートして、受信データを、チャネル推定部２０５および受信データ復調部２０６に出力する。
【００６６】
スケジューリング部２０４は、ＭＡＣ層の処理を行なう。スケジューリング部１０４は、論理チャネルとトランスポートチャネルのマッピング、下りリンクおよび上りリンクのスケジューリング（ＨＡＲＱ処理、トランスポートフォーマットの選択など）などを行なう。スケジューリング部２０４は、各物理層の処理部を統合して制御するため、スケジューリング部２０４と、アンテナ２０９、データ制御部２０１、送信データ変調部２０２、チャネル推定部２０５、受信データ復調部２０６、データ抽出部２０７および無線部２０３との間のインターフェースが存在する。
【００６７】
スケジューリング部２０４は、下りリンクのスケジューリングでは、基地局装置１００や上位層２０８からのスケジューリング情報（トランスポートフォーマットやＨＡＲＱ再送情報）などに基づいて、トランスポートチャネルおよび物理信号および物理チャネルの受信制御、ＨＡＲＱ再送制御および下りリンクのスケジューリングに使用されるスケジューリング情報の生成を行なう。これら下りリンクのスケジューリングに使用されるスケジューリング情報は、データ制御部２０１へ出力される。
【００６８】
スケジューリング部２０４は、上りリンクのスケジューリングでは、上位層２０８から入力された上りリンクのバッファ状況、データ抽出部２０７から入力された基地局装置１００からの上りリンクのスケジューリング情報（トランスポートフォーマットやＨＡＲＱ再送情報など）、および、上位層２０８から入力されたスケジューリング情報などに基づいて、上位層２０８から入力された上りリンクの論理チャネルをトランスポートチャネルにマッピングするためのスケジューリング処理および上りリンクのスケジューリングに使用されるスケジューリング情報の生成を行なう。なお、上りリンクのトランスポートフォーマットについては、基地局装置１００から通知された情報を利用する。これらスケジューリング情報は、データ制御部２０１へ出力される。
【００６９】
また、スケジューリング部２０４は、上位層２０８から入力された上りリンクの論理チャネルをトランスポートチャネルにマッピングし、データ制御部２０１へ出力する。また、スケジューリング部２０４は、チャネル推定部２０５から入力されたチャネル状態情報や、データ抽出部２０７から入力されたＣＲＣ（Cyclic Redundancy Check）の確認結果についても、データ制御部２０１へ出力する。また、スケジューリング部２０４は、データ抽出部２０７から入力された下りリンクで取得した制御データとトランスポートチャネルを、必要に応じて処理した後、下りリンクの論理チャネルにマッピングし、上位層２０８へ出力する。
【００７０】
チャネル推定部２０５は、下りリンクデータの復調のために、下りリンク参照信号から下りリンクのチャネル状態を推定し、その推定結果を受信データ復調部２０６に出力する。また、チャネル推定部２０５は、基地局装置１００に下りリンクのチャネル状態の推定結果を通知するために、下りリンク参照信号から下りリンクのチャネル状態を推定し、この推定結果を、チャネル状態情報として、スケジューリング部２０４に出力する。
【００７１】
受信データ復調部２０６は、ＯＦＤＭ方式に変調された受信データを復調する。受信データ復調部２０６は、チャネル推定部２０５から入力された下りリンクのチャネル状態推定結果に基づいて、無線部２０３から入力された変調データに対して、復調処理を施し、データ抽出部２０７に出力する。
【００７２】
データ抽出部２０７は、受信データ復調部２０６から入力されたデータに対して、ＣＲＣを行ない、正誤を確認するとともに、確認結果（ＡＣＫまたはＮＡＣＫを示す情報）をスケジューリング部２０４に出力する。また、データ抽出部２０７は、受信データ復調部２０６から入力されたデータからトランスポートチャネルと物理層の制御データに分離して、スケジューリング部２０４に出力する。分離された制御データには、下りリンクまたは上りリンクのリソース割り当てや上りリンクのＨＡＲＱ制御情報などのスケジューリング情報が含まれている。
【００７３】
上位層２０８は、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行なう。上位層２０８は、下位層の処理部を統合して制御するため、上位層２０８と、スケジューリング部２０４、アンテナ２０９、データ制御部２０１、送信データ変調部２０２、チャネル推定部２０５、受信データ復調部２０６、データ抽出部２０７および無線部２０３との間のインターフェースが存在する。
【００７４】
上位層２０８は、無線リソース制御部２１０（制御部とも呼称される）を有している。無線リソース制御部２１０は、各種設定情報の管理、システム情報の管理、ページング制御、自局の通信状態の管理、ハンドオーバーなどの移動管理、バッファ状況の管理、ユニキャストおよびマルチキャストベアラの接続設定の管理、移動局識別子（ＵＥＩＤ）の管理を行なう。
【００７５】
（第１の実施形態）
次に、基地局装置１００および移動局装置２００を用いた移動通信システムにおける第１の実施形態を説明する。第１の実施形態において、基地局装置は、ＰＵＳＣＨのスケジューリングに使用されるＤＣＩフォーマットに含まれる情報フィールドに第１の値（以下、所定の値以外の値とも記載する）または第２の値（以下、所定の値とも記載する）を選択的にセットして移動局装置へ送信し、移動局装置は、情報フィールドに第１の値がセットされている場合には、４アンテナポートを用いてＰＵＳＣＨを基地局装置へ送信し、情報フィールドに第２の値がセットされている場合には、２アンテナポートを用いてＰＵＳＣＨを基地局装置へ送信する。ここで、基地局装置によって、第１の値または第２の値が選択的にセットされる情報フィールドは、ＰＵＳＣＨに対する送信レイヤ数およびコードブックインデックスを示すために使用される情報フィールドが含まれる。
【００７６】
また、移動局装置が、２アンテナポートを用いてＰＵＳＣＨを送信する際の送信レイヤ数は２である。また、移動局装置が、２アンテナポートを用いてＰＵＳＣＨを送信する際のコードブックインデックスは１／√２［１、０；０、１］に対応する。すなわち、移動局装置が、２アンテナポートを用いてＰＵＳＣＨを送信する際の送信ランクは２である。
【００７７】
ここで、以下に記載する、複数のアンテナポートでの送信に関する情報とは、例えば、移動局装置が、複数のアンテナポートでの送信を行う際に使用される送信ランク数が含まれる。また、例えば、複数のアンテナポートでの送信に関する情報とは、移動局装置が、複数のアンテナポートでの送信を行う際に使用されるコードブックインデックス（プレコーディング行列）が含まれる。また、例えば、複数のアンテナポートでの送信に関する情報とは、移動局装置が、複数のアンテナポートでの送信を行う際に使用されるアンテナポート数が含まれる。
【００７８】
図４は、基地局装置によって設定される上りリンク送信モードを示している。すなわち、図４は、基地局装置から指示されるＣ−ＲＮＴＩ（Cell-Radio Network Temporary Identifier、User-Equipment identity、移動局装置識別子とも呼称される）によって設定されるＰＤＣＣＨとＰＵＳＣＨ（ＰＤＣＣＨとＰＵＳＣＨの関連性）を示している。ここで、例えば、Ｃ−ＲＮＴＩは、あるセルの中でＲＲＣ接続を持っている（ＲＲＣ層で接続されている）ある移動局装置を特定するために使用される。
【００７９】
図４において、移動局装置は、上位層の信号（例えば、dedicated signaling）を経由して純静的（semi-statically）に、ＰＵＳＣＨの送信が設定される。ここで、上記に示したように、ＰＵＳＣＨの送信（ＰＵＳＣＨに対するスケジューリング情報）は、ＰＤＣＣＨを経由して指示される。すなわち、モード１、モード２として示される２つの上りリンク送信モードの１つが、基地局装置によって設定される。
【００８０】
ここで、移動局装置は、モニタするＰＤＣＣＨ（デコードを試みるＰＤＣＣＨ）に応じて、対応するＰＵＳＣＨを送信する。すなわち、移動局装置は、Ｃ−ＲＮＴＩによってスクランブルされたＣＲＣ（Cyclic Redundancy Check）のＰＤＣＣＨをデコードすることを基地局装置によって設定された場合には、図４に示される組み合わせに従って、対応するＰＵＳＣＨを送信する。
【００８１】
すなわち、基地局装置によって、送信モード１（上りリンク送信モード１とも呼称する）が設定された移動局装置は、共通検索領域（common search space）と移動局装置固有（UE-specific search space）において、ＤＣＩフォーマット０をモニタする。
【００８２】
また、基地局装置によって送信されたＤＣＩフォーマット０を受信（検出）した移動局装置は、ＤＣＩフォーマット０に含まれる下りリンク制御情報に従って、シングルアンテナポート方式でＰＵＳＣＨ（以下、上りリンクトランスポートブロックでも良い）を送信する。
【００８３】
さらに、基地局装置によって、送信モード２（上りリンク送信モード２とも呼称する）が設定された移動局装置は、共通検索領域と移動局装置固有においてＤＣＩフォーマット０をモニタするとともに、移動局装置固有においてＤＣＩフォーマット４をモニタする。
【００８４】
また、基地局装置によって送信されたＤＣＩフォーマット０を受信（検出）した移動局装置は、ＤＣＩフォーマット０に含まれる下りリンク制御情報に従って、シングルアンテナポート方式でＰＵＳＣＨを送信する。
【００８５】
すなわち、基地局装置によって送信モード２が設定された移動局装置は、ＤＣＩフォーマット０を受信した際に、上りリンクトランスポートブロック１に関連するＰＵＳＣＨの送信（のみ）を行い、上りリンクトランスポートブロック２に関連するＰＵＳＣＨの送信を行わない。すなわち、基地局装置によって送信モード２が設定された移動局装置は、ＤＣＩフォーマット０を受信した際に、上りリンクトランスポートブロック１に関連するＰＵＳＣＨの送信を想定（assume）し、上りリンクトランスポートブロック２を無効とする。
【００８６】
ここで、移動局装置によって（１つの）ＰＵＳＣＨを使用して送信される２つの上りリンクトランスポートブロックそれぞれを、上りリンクトランスポートブロック１、上りリンクトランスポートブロック２とも記載する。
【００８７】
また、基地局装置によって送信されたＤＣＩフォーマット４を受信（検出）した移動局装置は、ＤＣＩフォーマット４に含まれる下りリンク制御情報に従って、マルチアンテナポート方式でＰＵＳＣＨを送信する。ここで、マルチアンテナポート方式でのＰＵＳＣＨの送信には、クローズドループ空間多重（Closed-loop spatial multiplexing）によるＰＵＳＣＨの送信が含まれる。また、マルチアンテナポート方式でのＰＵＳＣＨの送信には、オープンループ空間多重（Open-loop spatial multiplexing）によるＰＵＳＣＨの送信が含まれる。
【００８８】
すなわち、基地局装置によって送信モード２が設定された移動局装置は、２つ以下の上りリンクトランスポートブロックを送信することが可能となる。すなわち、移動局装置は、１つの上りリンクトランスポートブロック、または、２つの上りリンクトランスポートブロックを、（１つの）ＰＵＳＣＨを使用して（ＰＵＳＣＨにマップして）、基地局装置へ送信する。
【００８９】
ここで、上りリンクトランスポートブロック１および上りリンクトランスポートブロック２の両方のトランスポートブロックが有効の場合には、上りリンクトランスポートブロック１がコードワード０へ、上りリンクトランスポートブロック２がコードワード１へマップされる。また、上りリンクトランスポートブロック１が有効、上りリンクトランスポートブロック２が無効の場合には、上りリンクトランスポートブロック１がコードワード０へマップされる。さらに、上りリンクトランスポートブロック１が無効、上りリンクトランスポートブロック２が有効の場合には、上りリンクトランスポートブロック２がコードワード０へマップされる。
【００９０】
以下、上りリンクトランスポートブロック１が有効の場合を、コードワード０が有効であるとも記載する。また、上りリンクトランスポートブロック１が無効の場合を、コードワード０が無効であるとも記載する。また、上りリンクトランスポートブロック２が有効の場合を、コードワード１が有効であるとも記載する。さらに、上りリンクトランスポートブロック２が無効の場合を、コードワード２が無効であるとも記載する。
【００９１】
ここで、例えば、基地局装置は、ＤＣＩフォーマット４に含まれる、ＭＣＳに関する情報を所定の値（例えば、ＭＣＳに関するインデックスを“０”）に、リソース割り当て情報を所定の値（例えば、リソース割り当て情報を“１”よりも大きい値）に、セットすることによって１つの上りリンクトランスポートブロックを無効とできる。
【００９２】
また、例えば、基地局装置は、ＤＣＩフォーマット４に含まれる、ＭＣＳに関する情報を所定の値（例えば、ＭＣＳに関するインデックスを“２８”）に、リソース割り当て情報を所定の値（例えば、リソース割り当て情報を“１”）に、セットすることによって１つの上りリンクトランスポートブロックを無効とできる。
【００９３】
ここで、図４に示すように、移動局装置は、基地局装置によって、送信モード２に対して２アンテナポートを使用することが設定された場合には、２アンテナポートでの送信を行う。すなわち、移動局装置は、２アンテナポートを使用してＰＵＳＣＨを送信する。また、移動局装置は、基地局装置によって、送信モード２に対して２アンテナポートまたは４アンテナポートを使用することが設定されている場合には、２アンテナポートでの送信または４アンテナポートでの送信を行う。すなわち、移動局装置は、２アンテナポートまたは４アンテナポートを使用してＰＵＳＣＨを送信する。すなわち、移動局装置は、２アンテナポートでの送信と４アンテナポートでの送信が選択的に行う。
【００９４】
例えば、移動局装置は、送信モード２のデフォルトとして、２アンテナポートでの送信を行う。また、例えば、移動局装置は、基地局装置によって、４アンテナポートでの送信が活性化（アクティベイト、activate）された場合には、２アンテナポートでの送信または４アンテナポートでの送信を行う。
【００９５】
例えば、基地局装置は、４アンテナポートでの送信を活性化するための情報（例えば、four Antenna Port Activated）を、上位層の信号に含めて移動局装置へ送信する。例えば、基地局装置は、４アンテナポートでの送信の活性化を、セル共通（cell-common）に移動局装置へ設定することができる。また、基地局装置は、４アンテナポートでの送信の活性化を、移動局装置特有（User equipment-dedicated）に移動局装置へ設定することができる。例えば、基地局装置は、４アンテナポートでの送信を活性化するための情報を、dedicated signalingを使用して移動局装置へ設定する。
【００９６】
以下、２アンテナポートでの送信に対するコードブック、４アンテナポートでの送信に対するコードブックについて記載する。ここで、上記で示したように、基地局装置は、ＤＣＩフォーマット４に含まれるプレコーディング情報を使用して、コードブックインデックスを移動局装置へ通知（指示）する。
【００９７】
図５は、２アンテナポートでの送信に対するコードブックを示している。すなわち、図５は、移動局装置が、２アンテナポートでの送信を行う際に使用されるプレコーディング行列を示している。ここで、“υ”は、送信レイヤの数を示している。
【００９８】
例えば、図５において、基地局装置によって、コードブックインデックス“０”を通知され、送信レイヤ数“１”での送信を行う移動局装置は、プレコーディング行列“１／√２［１；１］”を使用する（２アンテナポートを使用した送信レイヤ数“１”でのＰＵＳＣＨ送信を行う）。また、基地局装置によって、コードブックインデックス“１”を通知され、送信レイヤ数“１”での送信を行う移動局装置は、プレコーディング行列“１／√２［１；−１］”を使用する（２アンテナポートを使用した送信レイヤ数“１”でのＰＵＳＣＨ送信を行う）。ここで、［Ａ；Ｂ］は２×１の行列を示している。
【００９９】
さらに、基地局装置によって、コードブックインデックス“０”を通知され、送信レイヤ数“２”での送信を行う移動局装置は、プレコーディング行列“１／√２［１、０；０、１］”を使用する（２アンテナポートを使用した送信レイヤ数“２”のＰＵＳＣＨ送信を行う）。ここで、［Ａ、Ｂ；Ｃ、Ｄ］は２×２の行列を示している。
【０１００】
すなわち、２アンテナポート、送信レイヤ数“２”でのＰＵＳＣＨ送信を行う移動局装置は、プレコーディング行列として“１／√２［１、０；０、１］”（以下、プレコーディング行列“Ｗ”とも記載する）を使用する。ここで、プレコーディング行列“１／√２［１、０；０、１］”は、送信レイヤ数“２”での送信を行うことを示すためのプレコーディング行列である。また、プレコーディング行列“１／√２［１、０；０、１］は、チャネルに依存しないプレコーディング行列とも言える。
【０１０１】
ここで、後述するように、プレコーディング行列“Ｗ＝１／√２［１、０；０、１］”は、例えば、４アンテナポート、送信レイヤ数“２”での送信を行う移動局装置によって使用されても良い。すなわち、プレコーディング行列“Ｗ＝１／√２［１、０；０、１］”とバーチャライゼーション行列“Ｖ”を定義することによって、４アンテナポート、送信レイヤ数“２”での送信を行う移動局装置によって使用されても良い。
【０１０２】
図６は、送信レイヤ数が“１”における４アンテナポートでの送信に対するコードブックを示している。すなわち、図６は、移動局装置が、送信レイヤ数“１”における４アンテナポートでの送信を行う際に使用されるプレコーディング行列を示している。ここで、図６において、各列は、コードブックインデックスの順序の増加に従って、左から右に順番付けられる。
【０１０３】
例えば、図６において、基地局装置によって、コードブックインデックス“０”を通知され、送信レイヤ数“１”での送信を行う移動局装置は、プレコーディング行列“１／２［１；１；１；−１］”を使用する（４アンテナポートを使用した送信レイヤ数“１”でのＰＵＳＣＨ送信を行う）。また、基地局装置によって、コードブックインデックス“１”を通知され、送信レイヤ数“１”での送信を行う移動局装置は、プレコーディング行列“１／２［１；１；ｊ；ｊ］”を使用する（４アンテナポートを使用した送信レイヤ数“１”でのＰＵＳＣＨ送信を行う）。ここで、［Ａ；Ｂ；Ｃ；Ｄ］は４×１の行列を示している。
【０１０４】
図７は、送信レイヤ数が“２”における４アンテナポートでの送信に対するコードブックを示している。すなわち、図７は、移動局装置が、送信レイヤ数“２”における４アンテナポートでの送信を行う際に使用されるプレコーディング行列を示している。ここで、図７において、各列は、コードブックインデックスの順序の増加に従って、左から右に順番付けられる。
【０１０５】
例えば、図７において、基地局装置によって、コードブックインデックス“０”を通知され、送信レイヤ数“２”での送信を行う移動局装置は、プレコーディング行列“１／２［１、０；１、０；０、１；０、−ｊ］”を使用する（４アンテナポートを使用した送信レイヤ数“２”でのＰＵＳＣＨ送信を行う）。また、基地局装置によって、コードブックインデックス“１”を通知され、送信レイヤ数“２”での送信を行う移動局装置は、プレコーディング行列“１／２［１、０；１、０；０、１；０、ｊ］”を使用する（４アンテナポートを使用した送信レイヤ数“２”でのＰＵＳＣＨ送信を行う）。ここで、［Ａ、Ｂ；Ｃ、Ｄ；Ｅ、Ｆ；Ｇ、Ｈ］は４×２の行列を示している。
【０１０６】
図８は、送信レイヤ数が“３”における４アンテナポートでの送信に対するコードブックを示している。すなわち、図８は、移動局装置が、送信レイヤ数“３”における４アンテナポートでの送信を行う際に使用されるプレコーディング行列を示している。ここで、図８において、各列は、コードブックインデックスの順序の増加に従って、左から右に順番付けられる。
【０１０７】
例えば、図８において、基地局装置によって、コードブックインデックス“０”を通知され、送信レイヤ数“３”での送信を行う移動局装置は、プレコーディング行列“１／２［１、０、０；１、０、０；０、１、０；０、０、１］”を使用する（４アンテナポートを使用した送信レイヤ数“３”でのＰＵＳＣＨ送信を行う）。また、基地局装置によって、コードブックインデックス“１”を通知され、送信レイヤ数“３”での送信を行う移動局装置は、プレコーディング行列“１／２［１、０、０；−１、０、０；０、１、０；０、０、１］”を使用する（４アンテナポートを使用した送信レイヤ数“３”でのＰＵＳＣＨ送信を行う）。ここで、［Ａ、Ｂ、Ｃ；Ｄ、Ｅ、Ｆ；Ｇ、Ｈ、Ｉ；Ｊ、Ｋ、Ｌ］は４×３の行列を示している。
【０１０８】
図９は、送信レイヤ数が“４”における４アンテナポートでの送信に対するコードブックを示している。すなわち、図９は、移動局装置が、送信レイヤ数“４”における４アンテナポートでの送信を行う際に使用されるプレコーディング行列を示している。
【０１０９】
例えば、基地局装置によって、コードブックインデックス“０”を通知され、送信レイヤ数“４”での送信を行う移動局装置は、プレコーディング行列“１／２［１、０、０、０；０、１、０、０；０、０、１、０；０、０、０、１］”を使用する（４アンテナポートを使用した送信レイヤ数“４”でのＰＵＳＣＨ送信を行う）。ここで、［Ａ、Ｂ、Ｃ、Ｄ；Ｅ、Ｆ、Ｇ、Ｈ；Ｉ、Ｊ、Ｋ、Ｌ；Ｍ、Ｎ、Ｏ、Ｐ］は４×４の行列を示している。すなわち、４アンテナポートを使用した送信レイヤ数“４”でのＰＵＳＣＨ送信を行う移動局装置は、常に、プレコーディング行列“１／２［１、０、０、０；０、１、０、０；０、０、１、０；０、０、０、１］”を使用する。
【０１１０】
図１０は、基地局装置によって４アンテナポートでの送信が活性化された際のプレコーディング情報フィールドの内容を示している。すなわち、図１０は、基地局装置によって、４アンテナポートでの送信を活性化するための情報が設定された場合の（例えば、four Antenna Port Activatedがセットされた場合の）プレコーディング情報フィールドの内容を示している。
【０１１１】
上記で示したように、基地局装置によって、４アンテナポートでの送信の活性化が設定された移動局装置は、２アンテナポートでの送信または４アンテナポートでの送信を行う。また、基地局装置は、ＤＣＩフォーマット４に含まれるプレコーディング情報を使用して、送信レイヤ数やコードブックインデックスを移動局装置へ通知（指示）する。
【０１１２】
例えば、基地局装置は、プレコーディング情報フィールドに情報ビットをセットすることによって、図１０に示すような送信レイヤ数やコードブックインデックスに対応するインデックスを指定する。すなわち、情報ビットがマップされたプレコーディング情報フィールド（ビットフィールド）が、インデックスへマップされる。また、例えば、基地局装置は、プレコーディング情報フィールドに情報ビットをセットすることによって、図１０に示すようなアンテナポート数に対応するインデックスを指定する。
【０１１３】
図１０の左側には、１つのコードワード（１つのコードワードの送信）に対するプレコーディング情報フィールドの内容が示されている。すなわち、図１０の左側には、コードワード０が有効、コードワード１が無効の場合の、プレコーディング情報フィールドの内容が示されている。
【０１１４】
また、図１０の右側には、２つのコードワード（２つのコードワードの送信）に対するプレコーディング情報フィールドの内容が示されている。すなわち、図１０の左側には、コードワード０が有効、コードワード１が有効の場合のプレコーディング情報フィールドの内容が示されている。
【０１１５】
例えば、図１０の左側において、プレコーディング情報（プレコーディング情報フィールドにセットされた情報ビット）がインデックス“０”を示すＤＣＩフォーマット４を受信（検出）した移動局装置は、送信レイヤ数“１”での送信を、コードブックインデックス＝“０”に対応する（コードブックインデックス＝“０”によって示される）プレコーディング行列を使用して行う。この際、移動局装置は、４アンテナポートでのＰＵＳＣＨの送信を行う。
【０１１６】
すなわち、移動局装置は、図６に示される送信レイヤ数“１”、コードブックインデックス＝“０”に対応するプレコーディング行列を使用して、ＰＵＳＣＨを送信する。すなわち、移動局装置は、プレコーディング行列“１／２［１；１；１；−１］”を使用して、送信レイヤ数“１”でＰＵＳＣＨを送信する（４アンテナポートを使用した送信レイヤ“１”でのＰＵＳＣＨ送信を行う）。
【０１１７】
また、例えば、図１０の左側において、プレコーディング情報がインデックス“２５”を示すＤＣＩフォーマット４を受信した移動局装置は、送信レイヤ数“２”での送信を、コードブックインデックス＝“１”に対応するプレコーディング行列を使用して行う。この際、移動局装置は、４アンテナポートでのＰＵＳＣＨの送信を行う。
【０１１８】
すなわち、移動局装置は、図７に示される送信レイヤ数“２”、コードブックインデックス＝“１”に対応するプレコーディング行列を使用して、ＰＵＳＣＨを送信する。すなわち、移動局装置は、プレコーディング行列“１／２［１、０；１、０；０、１；０、ｊ］”を使用して、送信レイヤ数“２”でＰＵＳＣＨを送信する（４アンテナポートを使用した送信レイヤ数“２”でのＰＵＳＣＨ送信を行う）。
【０１１９】
また、例えば、図１０の右側において、プレコーディング情報がインデックス“１７”を示すＤＣＩフォーマット４を受信した移動局装置は、送信レイヤ数“３”での送信を、コードブックインデックス＝“１”に対応するプレコーディング行列を使用して行う。この際、移動局装置は、４アンテナポートでのＰＵＳＣＨの送信を行う。
【０１２０】
すなわち、移動局装置は、図８に示される送信レイヤ数“３”、コードブックインデックス＝“１”に対応するプレコーディング行列を使用して、ＰＵＳＣＨを送信する。すなわち、移動局装置は、プレコーディング行列“１／２［１、０、０；−１、０、０；０、１、０；０、０、１］”を使用して、送信レイヤ数“３”でＰＵＳＣＨを送信する（４アンテナポートを使用した送信レイヤ数“３”でのＰＵＳＣＨ送信を行う）。
【０１２１】
また、例えば、図１０の右側において、プレコーディング情報がインデックス“２８”を示すＤＣＩフォーマット４を受信した移動局装置は、送信レイヤ数“４”での送信を、コードブックインデックス＝“０”に対応するプレコーディング行列を使用して行う。この際、移動局装置は、４アンテナポートでのＰＵＳＣＨの送信を行う。
【０１２２】
すなわち、移動局装置は、図９に示される送信レイヤ数“４”、コードブックインデックス＝“０”に対応するプレコーディング行列を使用して、ＰＵＳＣＨを送信する。すなわち、移動局装置は、プレコーディング行列“１／２［１、０、０、０；０、１、０、０；０、０、１、０；０、０、０、１］”を使用して、送信レイヤ数“４”でＰＵＳＣＨを送信する（４アンテナポートを使用した送信レイヤ数“４”でのＰＵＳＣＨ送信を行う）。
【０１２３】
ここで、図１０の左側において、プレコーディング情報がインデックス“４０”を示すＤＣＩフォーマット４を受信した移動局装置は、送信レイヤ数“２”での送信を、コードブックインデックス＝“０”に対応するプレコーディング行列を使用して行う。この際、移動局装置は、２アンテナポートでのＰＵＳＣＨの送信を行う。
【０１２４】
また、図１０の右側において、プレコーディング情報がインデックス“２９”を示すＤＣＩフォーマット４を受信した移動局装置は、送信レイヤ数“２”での送信を、コードブックインデックス＝“０”に対応するプレコーディング行列を使用して行う。この際、移動局装置は、２アンテナポートでのＰＵＳＣＨの送信を行う。
【０１２５】
すなわち、移動局装置は、図５に示される送信レイヤ数“２”、コードブックインデックス＝“０”に対応するプレコーディング行列を使用して、ＰＵＳＣＨを送信する。すなわち、移動局装置は、プレコーディング行列“１／√２［１、０；０、１］”を使用して、送信レイヤ数“２”でＰＵＳＣＨを送信する（２アンテナポートを使用した送信レイヤ数“２”でのＰＵＳＣＨ送信を行う）。
【０１２６】
すなわち、図１０に示されるようなテーブルの中に、２アンテナポートでの送信に対応するインデックスが定義される。すなわち、図１０に示されるようなテーブルの中に、２アンテナポートを使用した送信レイヤ数“２”での送信に対応するインデックスが定義される。ここで、このように、２アンテナポートを使用した送信レイヤ数“２”での送信に対応するインデックスが定義されることを、２アンテナポートを使用した送信レイヤ数“２”での送信に対するコードポイントがセットされるとも呼称する。
【０１２７】
すなわち、４アンテナポートでの送信に対する送信レイヤ数、コードブックインデックスを定義するテーブルの中に、２アンテナポートを使用した送信レイヤ数“２”での送信に対するコードポイントがセットされる。すなわち、例えば、２アンテナポートを使用した送信レイヤ数“２”での送信に対するコードポイントとして、インデックス“２９”やインデックス“４０”がセットされる、とも呼称する。
【０１２８】
すなわち、移動局装置は、プレコーディング情報（プレコーディング情報フィールドにセットされた情報ビット）が所定の値を示している場合（例えば、インデックスが“４０”や“２９”を示している場合）には、送信レイヤ数“２”における２アンテナポートでの送信を行う（２アンテナポートを使用した送信レイヤ数“２”での送信を行う）。また、この際、移動局装置は、２アンテナポート、送信ランク数“２”での送信に対応するプレコーディング行列（すなわち、“１／√２［１、０；０、１］”）を使用する。
【０１２９】
ここで、上記までに示したように、プレコーディング情報は、４アンテナポートでの送信に対する送信レイヤ数を示すことができる。また、プレコーディング情報は、４アンテナポートでの送信に対するコードブックインデックス（プレコーディング行列）を示すことができる。
【０１３０】
すなわち、移動局装置は、プレコーディング情報が所定の値以外の値を示している場合には、値に従った送信レイヤ数で、４アンテナポートでの送信を行う。また、移動局装置は、プレコーディング情報が所定の値以外の値を示している場合には、値に従ったコードブックインデックスで、４アンテナポートでの送信を行う。
【０１３１】
すなわち、移動局装置は、プレコーディング情報が所定の値を示している場合にのみ、２アンテナポートでの送信を行う。この際、移動局装置は、送信レイヤ数“２”での送信を行う。すなわち、移動局装置は、プレコーディング行列として、“１／√２［１、０；０、１］”を使用する。
【０１３２】
ここで、例えば、プレコーディング情報にセットされる所定の値は、予め、仕様等によって定義される。すなわち、プレコーディング情報にセットされる所定の値は、基地局装置と移動局装置に間において、既知としておくことができる。
【０１３３】
また、本実施形態では、説明を分かり易くするために、所定の値がセットされる情報フィールドを、プレコーディング情報フィールドとして記載したが、所定の値がセットされる情報フィールドとして、ＤＣＩフォーマット４に定義されるその他の情報フィールドが使用されても良い。すなわち、所定の値がセットされる情報フィールドも、予め、仕様等によって、所定の情報フィールドとして定義されても良い。すなわち、所定の値がセットされる所定の情報フィールドは、基地局装置と移動局装置の間において、既知としておくことができる。
【０１３４】
すなわち、基地局装置によって４アンテナポートでの送信を活性化された移動局装置は、ＤＣＩフォーマット４に定義されたプレコーディング情報フィールドに所定の値がセットされているかどうかに基づいて、２アンテナポートでの送信、または、４アンテナポートでの送信を行う。すなわち、移動局装置は、ＤＣＩフォーマット４に定義されたプレコーディング情報フィールドに所定の値がセットされている場合には、２アンテナポートでの送信を行い、プレコーディング情報フィールドに所定の値以外の値がセットされている場合には、４アンテナポートでの送信を行う。
【０１３５】
この際、２アンテナポートでの送信を行う移動局装置は、送信ランク数“２”での送信を行う。すなわち、移動局装置は、プレコーディング行列として“１／√２［１、０；０、１］を使用する。また、４アンテナポートでの送信を行う移動局装置は、プレコーディング情報フィールドにセットされた値に従った送信ランク、コードブックインデックスでの送信を行う。
【０１３６】
すなわち、プレコーディング情報フィールドにセットされた値に従って、４アンテナポート（４アンテナポートでの送信）に対するレイヤ数が指示される。また、プレコーディング情報フィールドにセットされた値によって、４アンテナポート（４アンテナポートでの送信）に対するコードブックインデックス（プレコーディング行列）が指示される。また、プレコーディング情報フィールドにセットされた値に従って、アンテナポート数（２アンテナポートでの送信、または、４アンテナポートでの送信）が指示されるとも言える。
【０１３７】
上記までに説明したように、移動局装置が、ＤＣＩフォーマット４に含まれるプレコーディング情報が所定の値以外の値を示している場合には、所定の値以外の値に従って複数のアンテナポートでの送信を行い、プレコーディング情報が所定の値を示している場合には、２アンテナポート、送信レイヤ数“２”での送信を行うことによって、複数のアンテナポートを使用した送信を行う際に使用される情報を、動的に指示する（切り換える）ことが可能となる。すなわち、高いモビリティケース下での移動局装置に対して、より良いパフォーマンスゲインを得ることができる。
【０１３８】
また、２アンテナポート、送信レイヤ数“２”での送信での送信を指示するための情報フィールドを新たに定義する必要がなくなり、下りリンク制御情報を送信する際のオーバーヘッドを削減することが可能となる。すなわち、無線リソースを効率的に使用して、複数のアンテナポートを使用した送信を行う際に使用される情報を指示する（切り換える）ことができる。
【０１３９】
ここで、上記までに説明したチャネルに依存しないプレコーディング行列“Ｗ＝１／√２［１、０；０、１］”を適用する送信（情報の送信、信号の送信）の処理は、２アンテナポートでの送信を、基地局装置と移動局装置の間において明示的に定義しなくても実施することができる。
【０１４０】
すなわち、上記までの説明では、プレコーディング行列“Ｗ＝１／√２［１、０；０、１］”が、２つの行からなるプレコーディング行列であるために、移動局装置が、２アンテナポートでの送信を行うことを記載していたが、これに対して、例えば、４×２のアンテナバーチャライゼーション行列“Ｖ”（以下、バーチャライゼーション行列とも記載する）を乗算したプレコーダ“Ｖ*Ｗ”を定義することによって、移動局装置が、２アンテナポートでの送信を行うことなく、同様の効果を得ることが可能となる。
【０１４１】
すなわち、例えば、移動局装置は、プレコーディング行列“Ｗ＝１／√２［１、０；０、１］”とバーチャライゼーション行列“Ｖ”を乗算したプレコーダ“Ｖ*Ｗ”（この際、このプレコーダ“Ｖ*Ｗ”がプレコーディング行列であるとも言える）を使用して、４アンテナポートでの送信を行うことができる。すなわち、移動局装置が、プレコーディング行列“Ｗ＝１／√２［１、０；０、１］”とバーチャライゼーション行列“Ｖ”を使用して４アンテナポートでの送信を行うことによって、プレコーディング行列“Ｗ＝１／√２［１、０；０、１］”を使用して２アンテナポートでの送信を行う際の効果と、同様の効果を得ることが可能となる。
【０１４２】
ここで、プレコーディング行列“Ｗ＝１／√２［１、０；０、１］”とバーチャライゼーション行列“Ｖ”を使用して４アンテナポートでの送信を行う移動局装置は、送信レイヤ数“２”での送信を行う（４アンテナポートと使用した送信レイヤ数“２”でのＰＵＳＣＨ送信を行う）。
【０１４３】
ここで、例えば、バーチャライゼーション行列“Ｖ”は、ＣＤＤ（Cyclic delay diversity）を実現するための行列によって表されても良い。また、例えば、バーチャライゼーション行列“Ｖ”は、４つのアンテナポートから２つのアンテナポートを選択することで信号の出力を行うアンテナスイッチ行列によって表されても良い。すなわち、具体的なバーチャライゼーション行列“Ｖ”（“Ｖ”の値）は、基地局装置と移動局装置の間において、共通の値を持つ必要はなく（仕様等によって予め定義される必要はなく）、移動局装置によって自由に決定することができる。すなわち、具体的なバーチャライゼーション行列“Ｖ”は、移動局装置の実装に依存される。
【０１４４】
以下、移動局装置が、プレコーディング行列として“Ｖ*Ｗ”を使用し、４アンテナポートでの送信を行う際の動作について記載する。
【０１４５】
上記で説明した通り、図４において、移動局装置は、送信モード２に対して２アンテナポートを使用することが設定された場合には、２アンテナポートでの送信を行う。ここで、図４において、移動局装置は、送信モード２に対して４アンテナポートでの送信が活性化された場合には、４アンテナポートでの送信（のみ）を行う（すなわち、２アンテナポートでの送信は行わない）。
【０１４６】
すなわち、基地局装置は、４アンテナポートでの送信を活性化するための情報（例えば、four Antenna Port Activated）を上位層の信号に含めて移動局装置へ送信し、移動局装置は、４アンテナポートでの送信を活性化するための情報がセットされている場合には４アンテナポートでの送信（のみ）を行う。すなわち、移動局装置は、４アンテナポートを使用してＰＵＳＣＨを送信する。
【０１４７】
さらに、基地局装置は、ＤＣＩフォーマット４に含まれるプレコーディング情報に所定の値をセットして移動局装置へ通知する。例えば、図１０で示したように、基地局装置は、プレコーディング情報がインデックス“４０”やインデックス“２９”を示すＤＣＩフォーマット４を移動局装置へ送信する。
【０１４８】
ここで、移動局装置は、プレコーディング情報が所定の値を示している場合（例えば、インデックスが“４０”や“２９”を示している場合）には、送信レイヤ数“２”における４アンテナポートでの送信を行う（４アンテナポートを使用した送信レイヤ数“２”での送信を行う）。また、この際、移動局装置は、４アンテナポート、送信レイヤ数“２”での送信に対して、プレコーディング行列“Ｖ*Ｗ”を使用する。すなわち、移動局装置は、プレコーディング行列“Ｗ＝１／√２［１、０；０、１］”とバーチャライゼーション行列“Ｖ”を使用して、４アンテナポート、送信レイヤ数“２”での送信を行う。
【０１４９】
すなわち、移動局装置は、プレコーディング情報が所定の値を示している場合にのみ、プレコーディング行列“Ｗ＝１／√２［１、０；０、１］”を使用して、４アンテナポートでの送信を行う。すなわち、移動局装置は、プレコーディング情報が所定の値を示している場合にのみ、プレコーディング行列“Ｗ＝１／√２［１、０；０、１］”を使用して、送信レイヤ数“２”での送信を行う。
【０１５０】
すなわち、所定の値を示すプレコーディング情報が含まれるＤＣＩフォーマット４を受信した移動局装置は、プレコーディング行列“Ｗ＝１／√２［１、０；０、１］”を使用して、必ずしも、２アンテナポートでの送信を行わなくても良い。すなわち、所定の値を示すプレコーディング情報が含まれるＤＣＩフォーマット４を受信した移動局装置が、プレコーディング行列“Ｗ”とバーチャライゼーション行列“Ｖ”を使用して４アンテナポート、送信レイヤ数“２”での送信を行うことによって、２アンテナポート、送信レイヤ数“２”での送信を行う際の効果と、同様の効果を得ることが可能となる。
【０１５１】
すなわち、基地局装置によって４アンテナポートでの送信を活性化された移動局装置は、ＤＣＩフォーマット４に定義されたプレコーディング情報フィールドに所定の値がセットされているかどうかに基づいて、プレコーディング行列“Ｗ＝１／√２［１、０；０、１］”を使用した４アンテナポートでの送信を行う。すなわち、移動局装置は、ＤＣＩフォーマット４に定義されたプレコーディング情報フィールドに所定の値がセットされている場合には、プレコーディング行列“Ｗ＝１／√２［１、０；０、１］”を使用した４アンテナポートでの送信を行い、プレコーディング情報フィールドに所定の値以外の値がセットされている場合には、所定の値以外の値に従って（所定の値以外の値に従った送信レイヤ数、コードブックインデックスで）４アンテナポートでの送信を行う。
【０１５２】
上記までに説明したように、移動局装置が、ＤＣＩフォーマット４に含まれるプレコーディング情報が所定の値以外の値を示している場合には、所定の値以外の値に従って複数のアンテナポートでの送信を行い、プレコーディング情報が所定の値を示している場合には、プレコーディング行列“Ｖ*Ｗ”を使用して、４アンテナポート、送信レイヤ数“２”での送信を行うことによって、複数のアンテナポートを使用した送信を行う際に使用される情報を、動的に指示する（切り換える）ことが可能となる。すなわち、高いモビリティケース下での移動局装置に対して、より良いパフォーマンスゲインを得ることができる。
【０１５３】
また、プレコーディング行列“Ｗ＝１／√２［１、０；０、１］”を使用した４アンテナポート、送信レイヤ数“２”での送信を指示するための情報フィールドを新たに定義する必要がなくなり、下りリンク制御情報を送信する際のオーバーヘッドを削減することが可能となる。すなわち、無線リソースを効率的に使用して、複数のアンテナポートを使用した送信を行う際に使用される情報を指示する（切り換える）ことができる。
【０１５４】
以上説明した実施形態は、基地局装置または移動局装置に搭載される集積回路にも適用される。また、以上説明した実施形態において、基地局装置内の各機能や、移動局装置内の各機能を実現するためのプログラムをコンピュータ読み取り可能な記録媒体に記録して、この記録媒体に記録されたプログラムをコンピュータシステムに読み込ませ、実行することにより基地局装置や移動局装置の制御を行なっても良い。なお、ここでいう「コンピュータシステム」とは、ＯＳや周辺機器等のハードウェアを含むものとする。
【０１５５】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、更に前述した機能をコンピュータシステムに既に記録されているプログラムとの組み合わせで実現できるものであっても良い。
【０１５６】
以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【０１５７】
１００  基地局装置
１０１  データ制御部
１０２  送信データ変調部
１０３  無線部
１０４  スケジューリング部
１０５  チャネル推定部
１０６  受信データ復調部
１０７  データ抽出部
１０８  上位層
１０９  アンテナ
１１０  無線リソース制御部
２００  移動局装置
２０１  データ制御部
２０２  送信データ変調部
２０３  無線部
２０４  スケジューリング部
２０５  チャネル推定部
２０６  受信データ復調部
２０７  データ抽出部
２０８  上位層
２０９  アンテナ
２１０  無線リソース制御部
【図１】
2013034047.tif 000003
【図２】
2013034047.tif 000004
【図３】
2013034047.tif 000005
【図４】
2013034047.tif 000006
【図５】
2013034047.tif 000007
【図６】
2013034047.tif 000008
【図７】
2013034047.tif 000009
【図８】
2013034047.tif 000010
【図９】
2013034047.tif 000011
【図１０】
2013034047.tif 000012